【手続補正書】
【提出日】平成15年6月30日(2003.6.30)
【手続補正１】
【補正対象書類名】明細書
【補正対象項目名】特許請求の範囲
【補正方法】変更
【補正の内容】
【特許請求の範囲】
【請求項１】
複数種類の図柄を複数の可変表示部で可変表示する可変表示遊技が行われる可変表示装置と、
前記可変表示遊技を開始可能とするスタート操作部と、
前記可変表示遊技における可変表示を停止可能とする停止操作部と、
前記スタート操作部の操作に基づいて抽選を行う抽選手段と、
前記抽選手段による抽選結果が入賞であることを条件に入賞フラグを発生させるフラグ発生手段と、
前記入賞フラグに対応する所定の停止図柄を、前記停止操作部の操作に基づいて停止表示可能に制御する停止制御手段と、
前記可変表示遊技に関わる情報を表示可能な表示部を表示制御する補助表示制御手段と、
を備え、
前記可変表示遊技の停止結果が特別態様となることにより、遊技者に有利となる特別遊技状態を発生可能な遊技機において、
前記停止制御手段は、
前記フラグ発生手段により前記特別態様を形成する図柄に対応する特別入賞フラグが発生されると、該特別入賞フラグが発生されたことを告知する特殊停止態様を停止制御可能とし、
前記補助表示制御手段は、
前記可変表示遊技における遊技進行状況に伴って、複数の特殊停止態様のうち該当する特殊停止態様に関わる情報を選択して表示する情報選択表示制御手段を備え、
前記情報選択表示制御手段は、
前記停止操作部の操作に基づいて停止した停止図柄に対応して、前記特殊停止態様に関わる情報を選択して表示可能であることを特徴とする遊技機。
【請求項２】
前記情報選択表示制御手段は、
第１停止図柄が所定の特殊停止態様の一部を形成した場合には、該第１停止図柄に対応する特殊停止態様に関わる情報を選択して表示し、その特殊停止態様の一部を第２停止図柄が形成した場合には、該第２停止図柄に基づく特殊停止態様に関わる情報を、前回の特殊停止態様に関わる情報から絞り込んで表示するようにしたことを特徴とする請求項１に記載の遊技機。
【請求項３】
前記可変表示装置の複数の可変表示部に対応して複数の停止操作部を備え、
前記情報選択表示制御手段は、複数の停止操作部の操作間隔が所定時間以下である場合には、以前の表示を継続して表示するようにしたことを特徴とする請求項１または２に記載の遊技機。
【請求項４】
遊技者の操作レベルを判定する操作レベル判定手段を備え、前記情報選択表示制御手段は、前記操作レベル判定手段により判定された操作レベルにより、前記特殊停止態様に関わる情報を複数種類の表示制御パターンに異ならせて表示制御するようにしたことを特徴とする請求項１〜３のいずれか１つに記載の遊技機。
【手続補正２】
【補正対象書類名】明細書
【補正対象項目名】００１１
【補正方法】変更
【補正の内容】
【００１１】
【課題を解決するための手段】
第１の発明は、複数種類の図柄を複数の可変表示部で可変表示する可変表示遊技が行われる可変表示装置と、前記可変表示遊技を開始可能とするスタート操作部と、前記可変表示遊技における可変表示を停止可能とする停止操作部と、前記スタート操作部の操作に基づいて抽選を行う抽選手段と、前記抽選手段による抽選結果が入賞であることを条件に入賞フラグを発生させるフラグ発生手段と、前記入賞フラグに対応する所定の停止図柄を、前記停止操作部の操作に基づいて停止表示可能に制御する停止制御手段と、前記可変表示遊技に関わる情報を表示可能な表示部を表示制御する補助表示制御手段と、を備え、前記可変表示遊技の停止結果が特別態様となることにより、遊技者に有利となる特別遊技状態を発生可能な遊技機において、前記停止制御手段は、前記フラグ発生手段により前記特別態様を形成する図柄に対応する特別入賞フラグが発生されると、該特別入賞フラグが発生されたことを告知する特殊停止態様を停止制御可能とし、前記補助表示制御手段は、前記可変表示遊技における遊技進行状況に伴って、複数の特殊停止態様のうち該当する特殊停止態様に関わる情報を選択して表示する情報選択表示制御手段を備え、前記情報選択表示制御手段は、前記停止操作部の操作に基づいて停止した停止図柄に対応して、前記特殊停止態様に関わる情報を選択して表示可能である。


【手続補正３】
【補正対象書類名】明細書
【補正対象項目名】００１２
【補正方法】変更
【補正の内容】
【００１２】
第２の発明は、第１の発明において、前記情報選択表示制御手段は、第１停止図柄が所定の特殊停止態様の一部を形成した場合には、該第１停止図柄に対応する特殊停止態様に関わる情報を選択して表示し、その特殊停止態様の一部を第２停止図柄が形成した場合には、該第２停止図柄に基づく特殊停止態様に関わる情報を、前回の特殊停止態様に関わる情報から絞り込んで表示するようにした。


【手続補正４】
【補正対象書類名】明細書
【補正対象項目名】００１３
【補正方法】変更
【補正の内容】
【００１３】
第３の発明は、第１、第２の発明において、前記可変表示装置の複数の可変表示部に対応して複数の停止操作部を備え、前記情報選択表示制御手段は、複数の停止操作部の操作間隔が所定時間以下である場合には、以前の表示を継続して表示するようにした。


【手続補正５】
【補正対象書類名】明細書
【補正対象項目名】００１４
【補正方法】変更
【補正の内容】
【００１４】
第４の発明は、第１〜第３の発明において、遊技者の操作レベルを判定する操作レベル判定手段を備え、前記情報選択表示制御手段は、前記操作レベル判定手段により判定された操作レベルにより、前記特殊停止態様に関わる情報を複数種類の表示制御パターンに異ならせて表示制御するようにした。


【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
【発明の効果】
第１の発明では、遊技の進行状況に伴って特殊停止態様に関わる情報を選択して表示するので、遊技者は期待を持ちながら遊技を行うことができる。また、遊技機に特殊停止態様に関わる情報が表示されるので、島設備に貼付される特殊停止態様に関わる情報を遊技者がいちいち首を曲げて確認するというようなことをせずに済み、楽な姿勢で、スムーズに遊技を進行できる。また、停止操作に基づいて停止図柄に対応する特殊停止態様に関わる情報が選択して表示されるので、遊技者は特殊停止態様を容易に確認できる。
【手続補正１２】
【補正対象書類名】明細書
【補正対象項目名】００２１
【補正方法】変更
【補正の内容】
【００２１】
第２の発明では、第１、第２停止図柄の組み合わせによって、前回の特殊停止態様に関わる情報から今回該当する特殊停止態様に関わる情報が絞り込まれて表示されるので、遊技者は特殊停止態様を一層容易に確認できる。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
第３の発明では、停止操作の間隔が短い場合、特殊停止態様情報の表示が直ぐに切り替わって見にくくなるのを防止できる。


【手続補正１７】
【補正対象書類名】明細書
【補正対象項目名】００２６
【補正方法】変更
【補正の内容】
【００２６】
第４の発明では、遊技者に対応して、遊技者が特殊停止態様情報を認識しやすい表示パターンとなり、遊技をスムーズに進められる。


【手続補正１８】
【補正対象書類名】明細書
【補正対象項目名】００２７
【補正方法】削除
【補正の内容】
【手続補正１９】
【補正対象書類名】明細書
【補正対象項目名】００６３
【補正方法】変更
【補正の内容】
【００６３】
このＢＢ状態等における内部抽選で入賞することにより発生したＡＴ状態では、ＡＴゲーム中に音声発生部３１や発光部３２より音や光を用いた各種の演出がなされるとともに、前述したように、アシストタイム報知部１７の「ＷＩＮ」が点灯状態となってＡＴ状態であることが報知され、遊技進行表示部１１にはＡＴゲームの残りゲーム回数が表示される。また、成立した入賞フラグの情報が、成立小役報知部１６等によって遊技者に報知され、また小役に対する図柄が停止できる特定の停止順も報知され、小役を取りこぼすことなく遊技が可能となる。


【手続補正２０】
【補正対象書類名】明細書
【補正対象項目名】０１２２
【補正方法】変更
【補正の内容】
【０１２２】
この一方、スタートレバー６の操作後、補助表示装置２０にリーチ目の全ての組（図１４）を表示して、第１リール４ａが停止した場合、図１５のように該当するリーチ目以外のものを消灯すると共に、第２リール４ｂが停止した場合、さらに該当するリーチ目以外のものを消灯するようにしても良い。


【手続補正２１】
【補正対象書類名】明細書
【補正対象項目名】０１２３
【補正方法】変更
【補正の内容】
【０１２３】
また、ＢＢまたはＲＢの入賞フラグが成立している状態において、遊技者が各リール停止ボタン７ａ，７ｂ，７ｃをそれぞれ操作したときに、有効ライン上あるいはそれに続く数コマ分（例えば、４コマ分）の図柄中にＢＢまたはＲＢの図柄がなく、リーチ目の図柄（図１４）があるときには、リール４ａ，４ｂ，４ｃがそれぞれリーチ目の図柄の位置に停止されるようになっているが、この場合、リーチ目情報と同様に、第１リール４ａ〜第３リール４ｃの停止順が規定の停止順の場合にリール４ａ，４ｂ，４ｃがそれぞれリーチ目の図柄の位置に停止されるようにしても良い。